(57)【要約】【課題】優れた耐湿性を有し、安定した寸法安定性を有することができる二重床構造およびその施工方法を提供する。【手段】本発明の二重床構造１０Ａは、床スラブ１８上に配置された複数の支持脚１１と、支持脚１１上に設けられた床材１５とを備え、床スラブ１８と床材１５の間に床下空間を有する二重床構造であって、床材１５が、木質系材料からなる複数の平板状の床下地材１２と、床下地材１２の一方の面に設けられた捨板１３および床仕上げ材１４とを備え、床下地材１２同士が隙間Ａをあけて支持脚Ａ上に敷設されており、床下地材１２は、その下面および側面に防湿層１６を備えていることを特徴とする。【選択図】図１
2015059331.tif 000002
【特許請求の範囲】
【請求項１】
床基盤上に配置された複数の支持脚と、前記支持脚上に設けられた床材と、を備え、前記床基盤と前記床材との間に床下空間を有する二重床構造であって、
前記床材が、木質系材料からなる複数の平板状の床下地材と、前記床下地材の一方の面に設けられた床仕上げ材とを備え、
前記床下地材同士が隙間をあけて前記支持脚上に敷設されており、
前記床下地材は、少なくともその下面および側面に防湿層を備えていることを特徴とする、二重床構造。
【請求項２】
前記床仕上げ材の下面の、前記床下地材の隙間に、前記防湿層が設けられており、前記床仕上げ材が床下空間に直接露出しないようにした、請求項１に記載の二重床構造。
【請求項３】
前記床仕上げ材は、前記床仕上げ材の目地が前記床下地材同士の間の隙間と重ならないように配置される、請求項１または２に記載の二重床構造。
【請求項４】
前記床材が、前記床下地材と前記床仕上げ材との間に設けられた捨板をさらに備えてなる、請求項１に記載の二重床構造。
【請求項５】
前記捨板の下面の、前記床下地材の隙間に、前記防湿層が設けられており、前記捨板が床下空間に直接露出しないようにした、請求項４に記載の二重床構造。
【請求項６】
前記捨板は、前記捨板の目地が前記床下地材同士の間の隙間と重ならないように配置される、請求項４または５に記載の二重床構造。
【請求項７】
前記防湿層が前記床下地材の上面に更に設ける、請求項１〜６の何れか１項に記載の二重床構造。
【請求項８】
床基盤上に配置された複数の支持脚上に、木質系材料からなり、前記床下地材の少なくともその下面および側面に防湿層を有する平板状の床下地材を、前記床下地材同士の間に隙間をあけて複数設け、
前記床下地材上の上面に床仕上げ材を設けることを特徴とする、二重床の施工方法。
【請求項９】
前記床仕上げ材の下面の、前記床下地材の隙間に、前記防湿層を設け、前記床仕上げ材が床下空間に直接露出しないようにした、請求項８に記載の二重床の施工方法。
【請求項１０】
前記床材が、前記床下地材と前記床仕上げ材との間に捨板をさらに備えてなる、請求項８に記載の二重床の施工方法。
【請求項１１】
前記捨板の下面の、前記床下地材の隙間に、前記防湿層が設けられており、前記捨板が床下空間に直接露出しないようにした、請求項１０に記載の二重床の施工方法。
【請求項１２】
前記防湿層を前記床下地材の上面に更に設ける、請求項８〜１１の何れか１項に記載の二重床の施工方法。
【発明の詳細な説明】
【技術分野】
【０００１】
本発明は、コンクリートスラブなどの床基盤から所定の高さを保って設けられる二重床構造およびその施工方法に関する。
【背景技術】
【０００２】
体育館や多目的ホール等の室内競技施設では、一般的に、コンクリートスラブなどの床基盤上に複数の支持脚を介して木質系材料からなる下地パネルを設置して、コンクリートスラブと所定の間隔を設けて下地パネルを敷設する二重床構造が採用されている。
【０００３】
こうした二重床構造は、床面が運動をする上での妨げにならないように高い平面精度を有することが重要であり、床面に反りの発生が無いこと、及び床面積が大面積であるため床全体の伸縮量を極力小さくすることが必要である。そのため、室内競技施設などのような大面積の床では、下地パネルに伸び、縮み、反りなどの変形が生じないように安定した寸法安定性を有していることが最も重要である。
【０００４】
下地パネルを構成する床下地材に伸び、縮み、反りなどが生じることを抑制するため、例えば、床下地材の少なくとも下面にポリオレフィン系樹脂のシートで耐湿層を形成した下地パネルに複数の支持脚を取付け、複数の下地パネルの支持脚を床基盤上に接地させた床構造が開示されている（例えば、特許文献１〜３参照）。
【先行技術文献】
【特許文献】
【０００５】
【特許文献１】特開２０００−２２０２７６号公報
【特許文献２】特開２０００−１４５１０３号公報
【特許文献３】特開２０００−０６４５６８号公報
【発明の概要】
【発明が解決しようとする課題】
【０００６】
ところで、近年、気密性や断熱性の高い建築材料が使用されるようになってきたり、自然エネルギーを利用して床下に地中からの暖気や冷気を通風させる冷暖房システムを採用するなど優れた空調効率を有する建築物が供給されるようになってきている。一般に、床下空間の湿度は、通常、室内（床上空間）の湿度と同等にすることが望ましく、通常、床上空間は、夏場で５０〜８０％ＲＨであり、冬場で３０〜５０％ＲＨであり、床下空間の湿度は、それと同等か１０％ＲＨ程度高い状態となっている。
【０００７】
しかしながら、このような最近の建築構造物では、下地パネルの床下空間が高湿度状態（例えば、９０％ＲＨ）や、温風を床下に流す床暖房などで床下空間が過度に乾燥された状態（例えば、２０％ＲＨ以下）などが長期間（例えば、２ケ月以上）続くと、下地パネルは、吸湿性の木質系材料からなり、床下空間と直接接するため、従来のように、下地パネルの床下地材の下面に耐湿層を形成しても、床下環境の影響を十分抑制できず、下地パネルに伸び、縮み、反りなどの変形を生じさせる可能性がある。
【０００８】
さらに、近年は、地熱により温められた空気を床下を経由して室内に送り込む暖房システムも採用されており、こうした暖房システムを備える建築構造物は、冬期の乾燥空気（例えば冬場で３５％ＲＨ程度）を地下に通すため、従来と比較して湿度が更に低くなり、床下地材を更に乾燥させ（例えば、２０％ＲＨ以下）、下地パネルの床下地材に伸び、縮み、反りなどの変形を生じさせる可能性がある。
【０００９】
このように、従来のように、下地パネルの床下地材の下面に耐湿層を形成して防湿処理を施す方法を採用しても、一般的な季節の変化による空気環境（湿度環境）の変化に対し、床下地材の変形を抑制し、寸法安定性を確保できる程度であり、上述のように、床下空間の高湿度状態や床下空間が過度に乾燥された状態が長期間（例えば、数ヶ月）続く場合でも、床下地材の伸び、縮み、反りなどの変形を抑制し、所望の寸法安定性を安定して図ることができる二重床構造が希求されている。
【００１０】
本発明は、上記に鑑みてなされたものであって、優れた耐湿性を有し、安定した寸法安定性を有することができる二重床構造およびその施工方法を提供することを目的とする。
【課題を解決するための手段】
【００１１】
上述した課題を解決し、目的を達成するために、本発明者らは、二重床構造について鋭意研究をした。その結果、床下地材が木材で形成されているため、床下地材の下面の床下空間に接する全ての面の防湿対策を施すことで、床下地材の床下空間の湿度変化の影響を受けることを抑制することができる。これにより、床下地材の伸び、縮み、反りなどの変形を抑制し、所望の寸法安定性を安定して図ることができることを見出した。本発明は、係る知見に基づいて完成されたものである。
【００１２】
すなわち、本発明による二重構造は、床基盤上に配置された複数の支持脚と、前記支持脚上に設けられた床材と、を備え、前記床基盤と前記床材との間に床下空間を有する二重床構造であって、前記床材が、木質系材料からなる複数の平板状の床下地材と、前記床下地材の一方の面に設けられた床仕上げ材とを備え、前記床下地材同士が隙間をあけて前記支持脚上に敷設されており、前記床下地材は、少なくともその下面および側面に防湿層を備えていることを特徴とする。
【００１３】
本発明においては、前記床仕上げ材の下面の、前記床下地材の隙間に、前記防湿層が設けられており、前記床仕上げ材が床下空間に直接露出しないようにしたことが好ましい。
【００１４】
本発明においては、前記床仕上げ材は、前記床仕上げ材の目地が前記床下地材同士の間の隙間と重ならないように配置されることが好ましい。
【００１５】
本発明においては、前記床材が、前記床下地材と前記床仕上げ材との間に設けられた捨板をさらに備えてなることが好ましい
【００１６】
本発明においては、前記捨板の下面の、前記床下地材の隙間に、前記防湿層が設けられており、前記捨板が床下空間に直接露出しないようにしたことが好ましい。
【００１７】
本発明においては、前記捨板は、前記捨板の目地が前記床下地材同士の間の隙間と重ならないように配置されることが好ましい。
【００１８】
本発明においては、前記防湿層が前記床下地材の上面に更に設けることが好ましい。
【００１９】
本発明の別の二重床の施工方法は、床基盤上に配置された複数の支持脚上に、木質系材料からなり、前記床下地材の少なくともその下面および側面に防湿層を有する平板状の床下地材を、前記床下地材同士の間に隙間をあけて複数設け、前記床下地材上の上面に床仕上げ材を設けることを特徴とする。
【００２０】
本発明においては、前記床仕上げ材の下面の、前記床下地材の隙間に、前記防湿層を設け、前記床仕上げ材が床下空間に直接露出しないようにしたことが好ましい。
【００２１】
本発明においては、前記床材が、前記床下地材と前記床仕上げ材との間に捨板をさらに備えてなることが好ましい。
【００２２】
本発明においては、前記捨板の下面の、前記床下地材の隙間に、前記防湿層が設けられており、前記捨板が床下空間に直接露出しないようにしたことが好ましい。
【００２３】
本発明においては、前記防湿層を前記床下地材の上面に更に設けることが好ましい。
【発明の効果】
【００２４】
本発明によれば、床下空間の環境変化の影響を受けることを抑制できるため、優れた耐湿性を有し、安定した寸法安定性を有することができる。
【図面の簡単な説明】
【００２５】
【図１】本発明の第１の実施形態に係る二重床構造の構成を簡略に示す図である。
【図２】支持脚の分解斜視図である。
【図３】床下地材の構成を簡略に示す図である。
【図４】床下地材の他の構成を簡略に示す図である。
【図５】二重床構造の他の構成の一例を示す図である。
【図６】二重床構造の他の構成の一例を示す図である。
【図７】本発明の第２の実施形態に係る二重床構造の構成を簡略に示す図である。
【図８】供試体の含水率変化量の測定結果を示す図である。
【図９】供試体の反り量の測定結果を示す図である。
【図１０】供試体の寸法変化量の測定結果を示す図である。
【発明を実施するための形態】
【００２６】
以下、本発明を実施するための形態（以下、実施形態という）を図面に基づいて詳細に説明する。なお、下記実施形態により本発明が限定されるものではない。また、下記実施形態における構成要素には、当業者が容易に想定できるもの、実質的に同一のものが含まれる。さらに、下記実施形態で開示した構成要素は適宜組み合わせることが可能である。また、床構造などの説明の便宜上、下記に示す例においては床基盤を下に配置した図と共に説明がなされるが、本発明は、必ずしもこの配置で使用などがなされるわけではない。なお、以下の説明において、床仕上材が設けられる方向を上または上方といい、床基盤の方向を下または下方という場合がある。
【００２７】
［第１の実施形態］
＜床構造＞
本発明の実施形態に係る二重床構造について説明する。図１は、本発明の第１の実施形態に係る二重床構造の構成を簡略に示す図である。図１に示すように、本実施形態に係る二重床構造１０Ａは、支持脚１１と、床下地材１２、捨板１３および床仕上げ材１４からなる床材１５と、防湿層１６とを備え、床スラブ（床基盤）１８と床材１５との間に床下空間を有する二重床構造であり、床下地材１２同士の間に隙間Ａが設けられている。なお、隙間Ａは、床下地材１２同士の間だけに限定されるものではなく、床材１５と建物の壁面との間にも設けることができる。
【００２８】
支持脚１１は、基礎面としての床スラブ（床基盤）１８上に立設されている。支持脚１１は、所定間隔を設けて複数配置されている。支持脚１１は、床スラブ１８上に配置されるクッションゴム２１と、クッションゴム２１に回転自在に立設した支持ボルト（調節ボルト）２２と、調節ボルト２２の上端に螺合した調節ナット２３と、調節ボルト２２の上端部（室内側）に調節ナット２３に固定して調節ボルト２２で支持する矩形状の台座２４とを備える。
【００２９】
クッションゴム２１は、床スラブ１８上に設置されている。クッションゴム２１は、円筒状に形成された部材であり、上端に金具の雌ねじ部２１ａが設けられている。クッションゴム２１としては、従来公知のものを用いることができ、例えば、ゴム、合成樹脂などの弾性材料が用いられる。
【００３０】
調節ボルト２２は、その両端の外周面に雄ネジが形成された金属製のボルトなどのネジ部材からなるものであり、図２に示すように、下端の雄ねじ部２２ａがクッションゴム２１に設けられた雌ねじ部２１ａに螺合され、上端の雄ねじ部２２ｂが台座２４に設けられた調節ナット２３の雌ねじ部２３ａに螺合されている。下端の雄ねじ部２２ａと上端の雄ねじ部２２ｂとは、逆ねじとしている。
【００３１】
調節ナット２３は、雌ねじ部２３ａと、その下方周縁に設けられる環状鍔部２３ｂとを備え、金属製の部材からなるものである。雌ねじ部２３ａは、円筒状に形成されており、その内側に雌ねじが形成されている。調節ナット２３は、雌ねじ部２３ａが台座２４の下面側から挿通穴２４ａに嵌合した状態で、調節ボルト２２と螺合して設けられている。
【００３２】
台座２４は、調節ボルト２２の上端面（支持面）の受け面積を広くして、床材１５を取付けるためのものであり、金属製の部材からなるものである。台座２４は、その中央部分に挿通穴２４ａを有する。
【００３３】
調節ボルト２２は、その上端面にマイナス溝２２ｃが設けられ、ドライバなどの回転用工具の先端を嵌め込んで回転させ、調整ナット２３を昇降して調整ナット２３の螺合位置を調整することにより、台座２４の高さ位置を調整する。これにより、床下地材１２の高さ調整が行われる。調整ナット２３は、雌ねじ部２３ａを、台座２４の挿通穴２４ａに嵌合し、挿通穴２４ａの穴周縁に環状鍔部２３ｂを接着して台座２４を取り付ける。クッションゴム２１上の調節ボルト２２の上端の雄ねじ部２２ｂを、台座２４に取り付けた調整ナット２３の雌ねじ部２３ａの雌ねじ部２５と螺合することで、支持脚１１が組み立てられる。
【００３４】
なお、本実施形態では、調節ナット２３を介して調節ボルト２２が台座２４と連結するようにしているが、調節ボルト２２は台座２４の挿通穴２４ａに雌ねじ部を設け、調節ボルト２２を台座２４と直接連結して固定するようにしてもよい。
【００３５】
床材１５が、支持脚１１上に設けられ、床下地材１２、捨板１３および床仕上げ材１４からなるものである。
【００３６】
床下地材１２は、支持脚１１上に設けられている。なお、床下地材１２は、下地パネルともいう。床下地材１２は、吸湿性の木質系材料からなるものであり、床下地材１２の材料としては、パーティクルボードやファイバーボード、ＯＳＢ（オリエンテッドストランドボード）やＭＤＦ（木質繊維板）などの繊維板、合板などが使用できる。
【００３７】
床下地材１２は、平板状であるが、床下地材１２を床材１５の下地板として用いるという観点から、矩形状であればその平面の形状は特に限定されるものではなく、設置面積、設置場所など設置状況に応じて適宜変更することができる。
【００３８】
床下地材１２は、台座２４に対して着脱可能とするため、ビス止めにて台座２４に固定されている。床材１５が台座２４に設けられることにより、台座２４と床スラブ１８との間は、床下空間を有する。この床下空間に、電気通信用配線や給排水用管などの設備（図示せず）を設けることが可能である。
【００３９】
防湿層１６は、床下地材１２への空気中の水分の透過を抑制するためのものである。防湿層１６は、図１、３に示すように、床下地材１２の下面およびその側面に設けられている。また、防湿層１６は、床下地材１２の下面およびその側面に一体に形成されているが、これに限定されるものではなく、床下地材１２の下面と、その側面とが、それぞれ別々の材料で形成されていてもよい。
【００４０】
防湿層１６を形成する材料としては、ポリオレフィン系の樹脂、ポリウレア樹脂、ポリウレタン系樹脂、エポキシ系樹脂、無機ガラスなどの樹脂フィルムや、それらの材料を例えば２枚など複数枚の紙の間に挟み込んだ複層紙が好適に用いられる。ポリオレフィン系の樹脂としては、ポリエチレン、ポリプロピレン、ポリブテン−１、ポリイソブチレン、ポリ４−メチル−１−ペンテン、エチレン・酢酸ビニル共重合体、エチレン・エチルアクリレート共重合体、エチレン・プロピレン共重合体、エチレン・プロピレン・ジエン共重合体（ＥＰＤＭ）、エチレン・ブテン共重合体、エチレン・ブテン・ジエン共重合体などが挙げられる。これらの中でも、特に、防湿性及び価格などの観点から、ポリエチレンまたはポリプロピレンが好適に用いられる。また、ポリウレア樹脂は、硬化速度が早く、空気中の水分の影響も受け難く、無溶剤、無触媒であり、耐酸性および耐アルカリ性など耐薬品性にも優れるため、防湿層１６として好適に用いることができる。
【００４１】
また、防湿層１６としては、上記のような材料を床下地材１２に接着貼りさせる以外に、アルミテープ等の防水・防湿性能の高いテープも好適に用いることができる。このようなテープは、上記のような樹脂材料よりも取扱いが簡単かつい容易であるため、防湿層１６の形成を容易に行なうことができる。
【００４２】
防湿層１６は、上記防湿層１６を形成する樹脂を含む塗料などを塗布して形成したものや、上記防湿層１６を形成する材料をシート状に形成したものを好適に用いることができる。特に、床下地材１２の側面は、塗装加工の方が容易であるという観点から、上記防湿層１６を形成する樹脂を含む塗料などを塗布して形成することが好ましい。
【００４３】
防湿層１６の厚みは、耐湿性やコスト及び取扱い易さの観点から、１０〜１００μｍの範囲内であることが好ましい。防湿層１６の厚みが、１０μｍ未満だと、耐湿性が十分得られないからであり、１００μｍを超えると、製造コストが高く、取扱い難くなるからである。また、防湿層１６として、アルミテープを用いる場合、防湿層１６の厚みは、２０μｍ〜１００μｍであることが好ましい。アルミテープを用いる場合、防湿層１６の厚みが、２０μｍ未満だと、耐湿性が十分得られないからであり、１００μｍを超えると、製造コストが高く、取扱い難くなるからである。
【００４４】
上記防湿層１６を形成する樹脂を含む塗料などを塗布して形成する場合には、防湿層１６は、例えば、吹付装置や噴霧装置などを用いて上記防湿層１６を形成する樹脂を含む塗料を床下地材１２の下面および側面に任意の厚さに塗布することで、防湿層１６を任意の厚みに調整することができる。また、防湿層１６として、アルミテープを用いる場合、アルミテープの積層枚数を調整することで、防湿層１６を任意の厚みに調整することができる。
【００４５】
床下地材１２は、吸湿性の木質系材料からなるため、床下地材１２が床下空間に接する全ての面が床下環境の影響を受けることになる。本実施形態においては、床下地材１２は、床下地材１２の下面およびその側面に防湿層１６を形成しているため、床下地材１２を二重床構造の床材の下地材として用いても、床下など外部からの空気中の水分の取り込みを抑制することができるため、床下地材１２が床下空間の環境変化の影響を受けることを抑制することができ、優れた耐湿性を有し、床下地材１２の反りなどの変形を抑制し、安定した寸法安定性を有することができる。
【００４６】
なお、本実施形態においては、床下地材１２の耐湿性は、床下地材１２の含水率変化量から求めることができ、床下地材１２の含水率変化量は、針式(電気抵抗式)水分計、若しくは高周波式木材水分計を用いるか、または重量変化量から求めることができる。また、床下地材１２の反り量は、床下地材１２の１枚当たりの矢高量の推移を計測して求められる。また、床下地材１２の寸法安定性は、床下地材１２の寸法変化量から求めることができ、床下地材１２の寸法変化量は、床下地材１２の縦方向および横方向の長さ変化を測定して、床全体の長さ変化量から求められる。
【００４７】
また、本実施形態においては、床下地材１２は、床下地材１２の上面が捨板１３または床仕上げ材１４が設置されるため、防湿層１６が床下地材１２の下面およびその側面に設けられているが、これに限定されるものではなく、図４に示すように、防湿層１６が床下地材１２の外周全面、すなわち、下面、上面およびこれらの両側面に形成されていてもよい。床下地材１２の外周全面に防湿層１６を形成することにより、床下地材１２を保管などして長期間使用しない場合であっても、床下地材１２の片面からの吸放湿を抑制することができ、床下地材１２が床下空間の環境変化の影響を受けることを更に抑制することができ、更に優れた耐湿性を有し、安定した寸法安定性を有することができる。
【００４８】
捨板１３は、床下地材１２の上面に敷設されている。捨板１３は、下張板、捨て張り板ともいう。捨板１３は、矩形上の板であり、捨板１３としては、例えば、針葉樹材または広葉樹材の合板、針葉樹材の単板および広葉樹材の単板が共に使用される合板、繊維板、配向性ストランドボード（Ｏｒｉｅｎｔｅｄ Ｓｔｒａｎｄ Ｂｏａｒｄ：ＯＳＢ）、パーティクルボードなどが用いられる。繊維板としては、例えば、高密度繊維板（Ｈｉｇｈ Ｄｅｎｓｉｔｙ ｆｉｂｅｒｂｏａｒｄ：ＨＤＦ）中密度繊維板（Ｍｅｄｉｕｍ Ｄｅｎｓｉｔｙ ｆｉｂｅｒｂｏａｒｄ：ＭＤＦ）などが挙げられる。捨板１３は、床下地材１２に、例えば、接着剤やビスなどにより固定される。なお、本実施形態においては、捨板１３は，１枚で構成されているが、２枚以上でもよい。
【００４９】
捨板１３は、捨板１３の目地が床下地材１２同士の間の隙間Ａと重ならないように配置されることが好ましい。これにより、捨板１３は、床下地材１２上により安定して設けることができるため、二重床構造１０Ａの床材１５の強度を高めることができる。
【００５０】
床仕上げ材１４が、捨板１３の上面に敷設されている。床仕上げ材１４として、例えば、フローリング材、木質フロア、床タイル、合成樹脂系軟質シート仕上材、コルク材、畳などが挙げられる。床仕上げ材１４は、捨板１３に、例えば、接着剤やビスなどにより固定される。床仕上げ材１４を捨板１３上に固着して設けることにより、床表面が仕上げられる。
【００５１】
なお、建物の壁面近傍まで床下地材１２が配置されるが、床下地材１２同士の間の隙間Ａの他に、更に床材１５の床下地材１２と建物の壁面との間の隙間がある場合には、この隙間にも防湿層１６が設けられてもよい。
【００５２】
＜二重床構造の施工方法＞
次に、二重床構造１０Ａの施工方法について説明する。二重床構造１０Ａの施工に際しては、まず、調節ボルト２２の一端のねじ部２２ａをクッションゴム２１の雌ねじ部２１ａに螺合して取り付ける。次に、床下地材１２に台座２４を挟んで嵌合して取り付けた調節ナット２３に、調節ボルト２２の他端のねじ部２２ｂを螺合して、テーブル状に組み立てた後、クッションゴム２１側を下にして、床スラブ１８の基礎面に、床下地材１２が連結された複数の支持脚１１を立脚させてゆく。
【００５３】
次に、各支持ボルト３２を回して台座２４を昇降させることにより、各床下地材１２の高さの調整を行う。床下地材１２の上面を同じ高さに調整した後、複数の床下地材１２上に捨板１３を載せて、釘や接着剤で床下地材１２に固定する。
【００５４】
次に、捨板１３上に床仕上げ材１４を張り付けて固着して、床材１５を形成し、床面を仕上げる。以上のように、本実施形態に係る二重床構造が施工される。
【００５５】
このように、二重床構造１０Ａは、床下地材１２の下面およびその側面に防湿層１６が形成された床下地材１２を床材１５の下地材として用いているため、床下地材１２が床下空間に接する全ての面に対して防湿対策を施すことができる。これにより、床下地材１２が床下空間の環境変化により影響を受けることを抑制することができ、優れた耐湿性を有し、安定した寸法安定性を有することができる。
【００５６】
したがって、二重床構造１０Ａによれば、例えば、室内に冷風または温風を送風する冷暖房装置や、自然エネルギーを利用して地熱により温められた空気を床下を経由して室内に送り込む暖房システムを備える建築構造物において、床下地材の床下空間が高湿度状態（例えば、９０%ＲＨ）や、温風を床下に流す床暖房などで床下空間が過度に乾燥した状態（例えば、２０%ＲＨ以下）などが長期間（例えば、２ケ月以上）続いた場合であっても、床下地材１２に伸び、縮み、反りなどを生じることを抑制することができるため、耐久性に優れ、信頼性が高い床構造とすることができる。また、二重床構造１０Ａは、既存の建造物などにおいても使用可能であり、床構造の改修などの際にも適用することができるため、二重床の床下の空気環境の変化に応じて床下地材を改修する際の費用の低減を図ることができる。
【００５７】
なお、本実施形態においては、床材１５が、床下地材１２、捨板１３および床仕上げ材１４を備えた三層構造としているが、これに限定されるものではなく、図５に示すように、床下地材１２および床仕上げ材１４の二層構造とし、床下地材１２の上面に床仕上げ材１４を敷設するようにしてもよい。この場合、床仕上げ材１４は、床下地材１２に、例えば、接着剤やビスなどにより固定される。
【００５８】
また、床仕上げ材１４は、床仕上げ材１４の目地が床下地材１２同士の間の隙間Ａと重ならないように配置されることが好ましい。これにより、床仕上げ材１４は、床下地材１２上により安定して設けることができるため、二重床構造１０Ａの床材１５の強度を高めることができる。
【００５９】
また、本実施形態においては、捨板１３の表面に特に何の処理も施さずに用いているが、これに限定されるものではなく、図６に示すように、捨板１３の下面側に防湿層１６を形成するようにしてもよい。捨板１３が塗装合板などである場合、捨板１３に形成される防湿層１６の塗装面を下面側にして施工することにより、防湿層１６を形成するための作業の効率化を図ることができ、捨板１３の下面に対して防湿層１６を効率よく形成することができる。
【００６０】
［第２の実施形態］
本発明の第２の実施形態に係る二重床構造について、図面を参照して説明する。なお、本発明の第１の実施形態と同様の部材については、同一符号を付して重複した説明は省略する。図７は、本発明の第２の実施形態に係る二重床構造の構成を簡略に示す図である。図７に示すように、二重床構造１０Ｂは、上記第１の実施形態の二重床構造１０Ａの防湿層１６が、捨板１３の下面の、床下地材１２同士の隙間Ａに設けられてなるものであり、床仕上げ材１２または捨板１３が床下空間に直接露出しないようにしている。すなわち、二重床構造１０Ｂは、床下地材１２の下端面およびその側面に設けられる防湿層１６Ａと、捨板１３の床下地材１２同士の間の隙間Ａに設けられてなる防湿層１６Ｂとを有している。
【００６１】
防湿層１６Ｂは、捨板１３または床仕上げ材１４の施工後に形成することができる。防湿層１６Ｂの形成方法は、従来から公知の方法を用いることができ、防湿層１６Ａと同様の形成方法でもよく、例えば、吹付装置や噴霧装置などを用いて形成するようにしてもよい。
【００６２】
防湿層１６Ｂが、床下地材１２同士の間に発生する隙間Ａにも設けられているため、床下空間に接する全ての面の防湿対策を施すことができる。これにより、二重床構造１０Ａに比べて、床下地材１２の床下空間の環境変化の影響を受けることを更に抑制することができ、床下地材１２の伸び、縮み、反りなどの影響を更に小さくすることができる。
【００６３】
なお、本実施形態においては、防湿層１６が、床下地材１２の下面およびその側面と、床下地材１２同士の間の隙間Ａに設けられる層とが同一部材を用いて形成されているが、異なる部材を用いて構成されていてもよく、例えば、防湿層１６Ｂは、床下地材１２の施工後に隙間Ａを封止すべく、防水・防湿テープなどを床下地材１２の側面に貼って形成してもよい。
【００６４】
以上、上記各実施形態に係る床構造は、体育館、多目的ホールなどの運動、展示会やコンサートなどが行なわれる室内競技施設などの二重床を使用する施設の床構造に好適に用いることができる。
【実施例】
【００６５】
以下、本発明を実施例及び比較例を挙げてさらに具体的に説明するが、本発明は以下の実施例に限定されるものではない。
【００６６】
＜供試体の準備＞
［実施例１］
床下地材としてパーティクルボード（「Ｍ−１８タイプ」、９００ｍｍ角、厚さ：２３ｍｍ）の上面に厚さが５０μｍとなるようにアルミテープを貼り、湿気が入らないようにし、側面（端面）および下面に防湿シートを貼り合わせた。このようにして得られた供試体を供試体１とした。
【００６７】
［比較例１］
下地の吸湿性ボードとしてパーティクルボード（「Ｍ−１８タイプ」、９００ｍｍ角、厚さ：２３ｍｍ、）の上面のみに厚さが５０μｍとなるようにアルミテープを貼り、湿気が入らないようにし、側面（端面）および下面には防湿シートを貼らず、防湿処理を施さずそのままとした。このようにして得られた供試体を供試体２とした。
【００６８】
［比較例２］
下地の吸湿性ボードとしてパーティクルボード（「Ｍ−１８タイプ」、９００ｍｍ角、厚さ：２３ｍｍ、）の上面に厚さが５０μｍとなるようにアルミテープを貼り、湿気が入らないようにし、下面に防湿シートを貼り合わせ、側面（端面）には防湿シートを貼らずそのままとした。このようにして得られた供試体を供試体３とした。
【００６９】
＜評価＞
上記のようにして得られた供試体１〜３を、所望の空気環境に設定可能な環境試験機内に放置し、供試体１〜３の含水率変化量と、供試体１、２の反り量および寸法変化量とを測定した。環境試験機の空気環境は、環境条件は、２０℃、９０％ＲＨの条件下に０〜２８日の間（２８日間）置いた後、４０℃、１０〜２０％ＲＨの条件下で３３〜５０日の間（３２日間））置いた。
［湿度環境変化に対する供試体の含水率変化量の検討］
供試体１〜３の含水率変化量は、供試体１〜３の重量変化量を計測して求めた。供試体１〜３の含水率変化量の測定結果を図８に示す。なお、供試体１〜３の初期含水率は、８．７〜９．６％であった。
【００７０】
［湿度環境変化に対する供試体の反り量の検討］
供試体１、２の反り量は、供試体１〜３の矢高量の推移を計測して求めた。供試体１、２の反り量の測定結果を図９に示す。
【００７１】
［湿度環境変化に対する供試体の寸法変化量の検討］
供試体１、２の寸法変化量は、供試体１〜３の縦方向および横方向の長さ変化を測定して求めた。供試体１、２の寸法変化量の観察結果を図１０に示す。
【００７２】
図８に示すように、比較例１では、含水率の変化量の差が９％程度であり、比較例２では、含水率の変化量の差が３．５％程度であったが、実施例１では、含水率の変化量の差が１．０％程度であり、ほとんど変化しなかった。よって、パーティクルボードの下面の他に側面にも防湿シートを設けることにより、含水率の変化量を更に小さくすることができることが確認された。このことから、パーティクルボードの含水率は、パーティクルボードの側面からの空気中水分の吸放湿による影響が大きいといえる。
【００７３】
また、図９に示すように、比較例２では、反り量の変化量の差が３．０ｍｍ程度であったが、実施例１では、反り量の変化量の差が１．８ｍｍ程度であった。よって、パーティクルボードの下面の他に側面（端面）にも防湿シートを設けることにより、パーティクルボードの反りの変化量を更に小さくすることができることが確認された。このことから、パーティクルボードの反り量の変化は、パーティクルボードの側面からの空気中水分の吸放湿による影響が大きいといえる。
【００７４】
また、図１０に示すように、比較例２では、パーティクルボードの寸法変化量の差が１．２ｍｍ程度であったが、実施例１では、パーティクルボードの寸法変化量の差が０．６ｍｍ程度であった。よって、パーティクルボードの下面の他に側面（端面）にも防湿シートを設けることにより、パーティクルボードの寸法変化量を半減することができることが確認された。このことから、パーティクルボードの側面からの空気中水分の吸放湿による影響が大きいといえる。
【００７５】
以上より、パーティクルボードの下面の他に側面も防湿処理を施すことにより、床下空間の湿度変化による影響をより確実に低減することができるといえる。すなわち、床下地材としてパーティクルボードを二重床の下地の基盤として使用する床工法では、床下の環境、特に湿度変化に対し、床下空間に接するパーティクルボードの下面のみに防湿処理を施しても、含水率変化やその結果発生する伸縮や反りを抑制することができない。これに対し、床下空間に接するパネル表面およびその側面に防湿処理を施すことにより、床下の環境、特に湿度変化に対し、含水率の変化やその結果発生する反り、寸法変化量を低減することができる。したがって、本発明は、建設初期のコンクリートスラブからの水分蒸発の影響や四季の変化による床下空間の湿度変化の影響、更には床暖房による床下空間の乾燥の影響などから効率よく防ぐことが可能となる。
【符号の説明】
【００７６】
１０Ａ、１０Ｂ  二重床構造
１１  支持脚
１２  床下地材
１３  捨板
１４  床仕上げ材
１５  床材
１６、１６Ａ、１６Ｂ  防湿層
１８  床スラブ（床基盤）
２１  クッションゴム
２１ａ、２３ａ  雌ねじ部
２２  支持ボルト（調節ボルト）
２２ａ、２２ｂ  雄ねじ部
２２ｃ  マイナス溝
２３  調節ナット
２３ｂ  環状鍔部
２４  台座
２４ａ  挿通穴
Ａ  隙間
【図２】
2015059331.tif 000003
【図３】
2015059331.tif 000004
【図４】
2015059331.tif 000005
【図７】
2015059331.tif 000006
【図８】
2015059331.tif 000007
【図９】
2015059331.tif 000008
【図１０】
2015059331.tif 000009
【図１】
2015059331.tif 000010
【図５】
2015059331.tif 000011
【図６】
2015059331.tif 000012